(57)【要約】      （修正有）【課題】  潤滑性に優れたミシン用潤滑剤組成物を提供すると共に、各種摺動部材の寿命延長を可能にする。【解決手段】  針棒７と軸受部８等の支持すべき被支持部材の摺動面と隙間を介して対向する軸受面の隙間に封入する潤滑剤において、潤滑剤の基油に粒径１０〜１０００nmの酸化アルミニウムを０．０１〜１０重量％配合し、有機金属化合物、ホウ素化合物、リン化合物及び硫黄化合物から選ばれた１種以上の油溶性添加剤を０．１〜１５重量％含むミシン用潤滑剤組成物。このミシン用潤滑剤組成物は、油溶性添加剤の他に、増ちょう剤を含むグリースであることができ、この場合は増ちょう剤量が１０〜２０重量％であり、増ちょう剤がチキソトロピーを有することがよい。【選択図】  図１
2005194303.tif 000002
【特許請求の範囲】
【請求項１】
支持すべき被支持部材の摺動面と隙間を介して対向する受面の隙間に封入する基油と添加剤からなる潤滑剤組成物おいて、中心粒径が、１００〜５００nmの範囲にあり、その９５％以上が１０〜１０００nmの範囲にある酸化アルミニウムを、基油に０．０１〜１０重量％配合したことを特徴とするミシン用潤滑剤組成物。
【請求項２】
潤滑剤組成物が、潤滑油又はグリースであり、油溶性添加剤を０．１〜１５重量％配合した請求項１記載のミシン用潤滑剤組成物。
【請求項３】
潤滑剤組成物が、グリースであり、増ちょう剤量が１０〜２０重量％である請求項１又は２記載のミシン用潤滑剤組成物。
【請求項４】
油溶性添加剤が、有機金属化合物、ホウ素化合物、リン化合物、硫黄化合物からなる群より選ばれた１種以上の化合物である請求項２又は３に記載のミシン用潤滑剤組成物。
【請求項５】
基油に酸化防止剤、防錆剤、金属不活性剤、分散剤からなる群から選ばれる１種又は２種以上の補助添加剤を配合してなる請求項１から４のいずれかに記載の潤滑油組成物。
【請求項６】
基油が、炭化水素系の基油であることを特徴とする請求項１から５のいずれかに記載の潤滑油組成物。
【請求項７】
酸化アルミニウムが、α-アルミナである請求項1〜６のいずれかに記載のミシン用潤滑剤組成物。
【請求項８】
酸化アルミニウムを、基油に０．０５〜１重量％配合したことを特徴とする請求項1〜７のいずれかに記載のミシン用潤滑剤組成物。
【請求項９】
前記摺動面と前記受面の一方がＤＬＣ（ダイヤモンドライクカーボン）被膜を有し、それらの隙間に用いられることを特徴とする請求項１〜８のいずれかに記載のミシン用潤滑剤組成物。
【請求項１０】
請求項１〜９のいずれかに記載のミシン用潤滑剤組成物を使用したことを特徴とするミシン装置。
【発明の詳細な説明】
【技術分野】
【０００１】
本発明は、ミシン用潤滑剤として適した潤滑剤組成物を使用したミシン装置に関する。
【背景技術】
【０００２】
ミシン装置の潤滑は、潤滑油を使用者が注油するかフェルトなどの含浸剤を介して潤滑油を供給する仕組みが一般的に採用されてきた。使用される潤滑油は植物油や鉱物油がほとんどであり、耐久性などを考慮したものではなかった。そのため、短い周期で給油又はメンテナンスを実施しなければならない状況にあった。また、下記特許文献１や２は、相対運動する摺動部に市販グリースを注入し、摩擦低減効果を狙ったものであるが、単にグリースを塗布するだけでは、メンテナンス周期の延長は実現できなかった。また、特許文献３には、工業用ミシンの針棒機構が開示されているが、針棒表面材の改良に関する。
【０００３】
【特許文献１】特開平１０−１１３４９０号公報
【特許文献２】特開２００２−４５５８７号公報
【特許文献３】特開平８−１５５１７３号公報
【特許文献４】特開２００１−１７２６５８号公報
【０００４】
ミシン装置の耐久性向上及びメンテナンスフリー化を実現させるためには、潤滑油の高性能化、グリースの適用などが選択される。従来より潤滑油としては市販のエンジン油や作動油、グリースとしては市販の軸受グリースなどが採用されてきた。
近年のミシン装置の高性能化、耐久性の向上に伴い、それらの摺動部に使用される潤滑剤には、高速化、高信頼性の要求が強く、そのため、摺動部に使用される潤滑剤には常に耐摩耗性の要求がある。摺動部の寿命に影響する因子には、摺動隙間、摺動速度、負荷荷重、発熱などあるが、潤滑剤の性能も大きな要因となる。
【０００５】
潤滑剤としては、豊富な市販品が存在するため、適当なものであれば容易に入手することができる。しかし、市販品は汎用向けに設計されたものであり、ミシン装置のような過酷な条件下では使用できないのが現状である。なぜならば、市販品の大半が回転機械用であり、ミシン装置のような潤滑剤が排出されやすい摺動部用途には潤滑剤供給装置が必要となるためである。例えば、高性能と標記してある各種市販品の潤滑油やグリースを用いてミシン装置の耐久試験を実施したが、どの潤滑剤も補給なしでミシン装置を500時間以上動かすことができなかった。その理由は、潤滑剤を塗布しても直ぐに潤滑面から排除され、実際には極々微量の潤滑剤で潤滑されるため、早期に油膜切れが生じ焼付きに至るためである。従って、使用する潤滑剤には長期安定した耐焼付き性が必要となる。耐焼付き性を向上させるためには、潤滑油中に二硫化モリブデン、グラファイト等の固体潤滑剤や窒化ホウ素などのファインセラミックを配合して潤滑性能を向上させることはよく行われているが（例えば、特開平５−１２５３８０号公報、トライボロジーデータブック：発行 株式会社テクノシステム）、より高度の耐摩耗性を達成するためには十分ではなく、またこれらの中には黒色に着色するという問題もある。また、特許文献４にはアルミナ等の微粒子を潤滑剤中に配合することを教えているが、ミシンのような被支持部材の摺動面の隙間に適用することを教えるものではない。
【発明の開示】
【発明が解決しようとする課題】
【０００６】
本発明は、高性能で寿命特性に優れたミシン用潤滑剤を提供すると共に、これを使用することで低トルクかつ長寿命なミシン装置を提供することを課題とする。
【課題を解決するための手段】
【０００７】
上記課題を解決するには、隙間に封入する潤滑剤の基油に粒径１０〜１０００nmの酸化アルミニウムを０．０１〜１０重量％配合したミシン用潤滑剤組成物が優れていることを見出した。
【０００８】
本発明は、支持すべき被支持部材の摺動面と隙間を介して対向する軸受面の隙間に封入する基油と添加剤からなる潤滑剤組成物おいて、中心粒径が、１００〜５００nmの範囲にあり、その９５％以上が１０〜１０００nmの範囲にある酸化アルミニウムを、基油に０．０１〜１０重量％配合したことを特徴とするミシン用潤滑剤組成物である。
【０００９】
ここで、1）前記ミシン用潤滑剤組成物が潤滑油であり、油溶性添加剤を１〜１５重量％配合すること、2）前記ミシン用潤滑剤組成物がグリースであり、増ちょう剤量が１０〜２０重量％であること、3）増ちょう剤がチキソトロピーを有すること、4）前記油溶性添加剤が、有機金属化合物、ホウ素化合物、リン化合物、硫黄化合物からなる群より選ばれた１種以上の油溶性添加剤であること、5）基油が炭化水素系であること、6）酸化アルミニウムがα-アルミナであること、又は、7）酸化アルミニウムを基油に対して０．０５〜１重量％配合することは好ましい態様である。
また、前記ミシン用潤滑剤組成物には、補助添加剤を配合することも有利であり、補助添加剤としては、酸化防止剤、防錆剤、金属不活性剤、分散剤からなる群から選ばれる１種又は２種以上の補助添加剤が好ましく例示される。
更に、本発明は、前記のミシン用潤滑剤組成物を使用したことを特徴とするミシン装置である。また、本発明は、前記摺動面と前記受面の少なくとも一方がＤＬＣ（ダイヤモンドライクカーボン）被膜を有し、それらの隙間に用いられることを特徴とする前記のミシン用潤滑剤組成物である。
【００１０】
まず、本発明のミシン用潤滑剤が適用されるミシン装置について図面を参照して詳細に説明する。図１は、通常のミシンの針摺動部に本発明を適用した一例を示す部分断面図である。
【００１１】
図１に示すように、ミシンの針摺動部は、針棒支持部材６内部の軸受部８ａ、８ｂによって針棒７が支持され、主軸１の回転運動をクランク２及びクランク軸３とクランクレバー４を通して直線運動に変換し、針棒７と内嵌固定された針棒連結部５を通して、針棒７を上下摺動させる機構となっている。
【００１２】
そして、針棒７と軸受部８ａと８ｂの隙間には、潤滑剤である潤滑油やグリースが注入されている。針棒７と軸受部８ａと８ｂの隙間は非常に小さく（約２〜３μm）、潤滑剤を注入しても容易に排除される状況にある。それゆえ、潤滑剤の選定に困難を伴う。
【００１３】
次に、本発明の潤滑剤組成物について説明する。
潤滑油もグリースも潤滑に寄与する成分は基油であり、実際の潤滑は薄膜状態として存在する基油によって行われる。従って、使用する基油は摺動によって容易に排除されないものが好ましい。そこで、種々検討した結果、特定粒径を有する酸化アルミニウムを特定量配合した基油を用いることで、狭い隙間にも潤滑剤と一体となって介入し、酸化アルミニウムの研磨作用による潤滑面の平滑化作用によって、極度の摩耗や焼付きを抑制することができることが見出された。
【００１４】
本発明の潤滑剤組成物（以下、潤滑剤又は潤滑油と略称するときもある）を使用する場合は、初期注入のみでも構わないが公知のフェルト材による潤滑油供給を行っても何ら差し支えない。グリースを使用する場合は、チキソトロピー性を有するものであれば問題ないが、耐久性をより向上させるためには、下記のように増ちょう剤量に注意する必要がある。
【００１５】
本発明の潤滑剤組成物は、摺動部の潤滑をスムーズにし、低トルク、かつ長寿命なミシン装置を与えるため、潤滑剤中の基油に対し、中心粒径１００〜５００nmの酸化アルミニウムを０．０１〜１０重量％配合する。本発明で使用する酸化アルミニウムは、アルミニウムの酸化、水酸化アルミニウムの強熱、塩化アルミニウム水和物や硝酸アルミニウムの加熱（１８０〜２００℃）等の公知の方法で得られるもので差し支えなく、市販品をそのまま、若しくは分級して使用することもできる。酸化アルミニウムにはα、β、γ型などがあるが、耐摩耗性の点ではα型が最も優れる。
【００１６】
酸化アルミニウムは中心粒径が上記範囲である必要があり、好ましくは２００〜４００nmの中心粒径を持つことがよい。中心粒径が小さいほど、分散性に優れるという利点があるが、ハンドリング（大気飛散）に問題があるため１００nm以上とすることが有利である。また、酸化アルミニウムの９０％以上が１０nm〜１μｍの範囲にあることが好ましい。また、最大粒径は２μｍ以下とすることがよい。酸化アルミニウムの基油に対する添加量は、０．０１〜１０重量％、好ましくは０．０２〜２重量％、より好ましくは０．０５〜１重量％である。０．０１重量％未満では耐摩耗性の効果が得られず、１０重量％を越えて添加すると長期保存ができない。
【００１７】
本発明の潤滑剤に用いる基油としては、ポリブテン、二塩基酸エステル、トリメチロールプロパンエステル、ネオペンチルグリコールエステル、ジフェニルエーテル、フッ素油、ポリアルキルグリコール、ポリアルファオレフィンなどがあるが、蒸発性能、添加剤の溶解性、潤滑性能の面で特に優れている炭化水素系油や二塩基酸エステルであるセバシン酸ジオクチルが好適である。
本発明の潤滑剤で使用する基油は、実質的に単一の化合物又は成分からなり、沸点範囲が±２℃以内であることがよい。また、常温液体で、その沸点は２００〜３５０℃にあることが好ましい。なお、基油としては、単一化合物が得やすい合成油が好ましく、この場合通常の精製では除去しえない不純物を含むことは差し支えない。また、基油がポリマー又はオリゴマーである場合は、重合度が実質的に単一であることがよい。
【００１８】
本発明の潤滑剤に用いる油溶性添加剤は、基油に溶解するものである必要がある。基油がキャリアとなって、摺動部へ油溶性添加剤を供給することができる。例えば、油溶性添加剤としては、ジアルキルジチオリン酸亜鉛、ジチオカルバミン酸モリブデン、ジチオリン酸モリブデンなどの有機金属化合物類、ホウ酸系化合物、リン系化合物、硫黄系化合物などがあるが、好ましくはジチオカルバミン酸モリブデンとジアルキルジチオリン酸亜鉛を併用することである。油溶性添加剤の総配合量は０．１〜１５重量％の範囲がよい。０．１重量％未満では添加効果が全くなく、１５重量％を越えた場合、濁りが生じると共に潤滑剤全体が異臭を発するため作業環境の雰囲気汚染が心配される。
【００１９】
油溶性添加剤としてのジアルキルジチオリン酸亜鉛は、（ＲＯ）2ＰＳ2−Ｚｎ−ＰＳ2（ＯＲ）2（但し、ＲはＣ８〜Ｃ１２のアルキル基）で示される化合物であり、好ましくはＣ１２のアルキル基を有するものである。その最適配合量は０．５〜２重量％の範囲である。
【００２０】
また、ジチオカルバミン酸モリブデンは、（Ｒ2ＮＣＳ2）2Ｍｏ2Ｏ2Ｓ2（但し、Ｒはアルキル基）で示される化合物であり、その最適配合量は１〜６重量％である。
【００２１】
また、ホウ素化合物は、ホウ酸塩、トリベンジルボレート、オルガノメルカプトアルキルボレート(USP3303130号公報参照)、トリベンジルボレートとエチレングリコールの反応生成物(USP3400083号公報参照)、ボレートエステルのフォスフェートスルフォキサイドの付加物等であり、好ましくはホウ酸カリウム等のホウ酸塩であり、その最適配合量は、５〜１０重量％の範囲である。
【００２２】
また、硫黄化合物及びリン化合物には、硫化油脂、硫化テルペン、硫化オレフィン、サルファイド等の硫黄系添加剤と、亜リン酸エステル、リン酸エステル、リン酸エステルのアミン塩等のリン化合物がある。その各々の配合量は０．０１〜５重量％、好ましくは０．１〜２重量％である。なお、本発明においては、前記ジアルキルジチオリン酸亜鉛、ジチオカルバミン酸モリブデン、ジチオリン酸モリブデンは、有機金属化合物類とする。
【００２３】
また、本発明の潤滑剤組成物はグリースであることができ、この場合における増ちょう剤は基油中に分散し、ミセル構造をとって半固体状を呈し、チキソトロピー性を有するものであり、ナトリウム石けん、リチウム石けん、カルシウム石けん、カルシウムコンプレックス石けん、アルミニウムコンプレックス石けん、リチウムコンプレックス石けん等の金属石けん系や、ジウレア化合物、トリウレア化合物、ベントン、ポリテトラフルオロエチレン、シリカエアロゲル、ナトリウムテレフタラメート等の非金属石けん系をあげることができる。これらのうち、安定性と摺動特性の面に優れたリチウム石けんが好ましい。特に、リチウム石けんの中でも12-ヒドロキシステアリン酸と水酸化リチウムをケン化反応させて得られるリチウムヒドロキシステアレートが好適である。これは、市販で容易に入手できるリチウムヒドロキシステアレートを潤滑油中に分散させたものより、付着性・潤滑性が優れ、これを満足することができる。
【００２４】
グリースとする場合の増ちょう剤量は、１０〜２０重量％の範囲がよい。グリースの硬さは、増ちょう剤量と関係があり、増ちょう剤量が多いほど固くて付着力の高いグリースが得られる。本発明者らの実験によれば、その最適硬さは、増ちょう剤量１０〜３０重量％の範囲にあり、好ましくは１０〜２０重量％の範囲にあることが見出された。１０重量％未満では、摺動部からのグリース飛散が生じ、２０重量％を超えるとグリースが硬すぎて商業生産可能なグリースを得ることができない。
【００２５】
更に、本発明のミシン用潤滑剤組成物には、上記成分の他、必要により酸化防止剤及び防錆剤等の通常添加される補助添加剤を配合することができる。酸化防止剤は1種又は２種以上を使用することができ、同様に防錆剤、その他の補助添加剤も1種又は２種以上を使用することができる。更に、補助添加剤として、酸化防止剤又は防錆剤等の１方又は両方を添加することができ、その他の補助添加剤の1又は２以上を添加することもできる。油溶性添加剤、酸化防止剤、防錆剤等の添加剤は、潤滑剤組成物が潤滑油である場合でも、グリースである場合でも１種類又は２種類以上を使用することができる。
【００２６】
酸化防止剤としては、ビス（4-ヒドロキシ-3,5-ジ-t-ブチル-フェニル）メタンや下式で表されるヒンダードフェノール（CIBA社製IRGANOX109）などのフェノール系や、アルキルジフェニルアミン、フェニル-1-ナフチルアミン等の芳香族アミン系の連鎖反応停止型酸化防止剤や、硫化油脂、ベンジルサルファイド、ジアセチルサルファイド等の硫黄系の過酸化物分解型酸化防止剤や、N,N'-ジサリチリデン-1,2-ジアミノプロパン、ベンゾトリアゾール、ベンゾトリアゾール誘導体等の金属不活性型酸化防止剤が使用できる。
【化１】
2005194303.tif 000003
【００２７】
防錆剤としては、バリウムナフタレンスルフォネート等のスルフォネート系、Ｎ−アルキルトリメチレンジアミンジオレエート、脂肪族アミン−ナフテン酸縮合物等のアミン系、各種ナフテン酸塩、カルボン酸エステル、コハク酸イミド、コハク酸エステル等の防錆剤が使用できる。
【００２８】
金属不活性剤としては、ベンゾトリアゾール及びその誘導体が代表的なものであるが、その他にイミダゾリン、ピリジン誘導体がある。これらは、少なくともＮ−Ｃ−Ｎ結合を有する化合物中に効果のあるものが多く、金属表面に不活性皮膜を作る作用と酸化防止作用を有する。これ以外では、Ｎ−Ｃ−Ｓ結合を有する化合物もあるが、基油への溶解性及び揮発性などから、ベンゾトリアゾール誘導体などが有効である。金属不活性剤の配合割合は、基油に対して０．０３〜５重量％の範囲がよい。
【００２９】
分散剤としては、シランカップリング剤や高分子系分散剤が使用できる。好ましくは、高分子系分散剤であり、中でもポリオキシアルキレン基と酸無水物基を持つ分散剤が好適である。好適な市販品としては、例えば日本油脂社製マリアリムＡＫＭ−０５３１などが好適である。
【００３０】
本発明の潤滑油組成物には、本発明の目的が損なわれない範囲で、必要に応じて、流動点降下剤、金属系清浄剤、油性剤、界面活性剤、消泡剤、摩擦調整剤、増ちょう剤などの他の添加剤を用途に応じて配合することができる。
【００３１】
前記のミシン用潤滑剤組成物を使用した本発明のミシン装置には格別な制限はないが、高速で針棒が上下運動する工業用ミシンに適する。また、ミシン装置にこの潤滑剤組成物が適用される部位にも制限はないが、針棒７（本発明における被支持部材）と軸受８（本発明における受面を構成する部材）の摺動部に適する。針棒７の摺動面と軸受８の受面との一方にはDLC皮膜が形成されている。その他、針棒７と軸受８との摺動部以外に適用してもよい。例えば、釜、天秤、上軸、下軸などに関する摺動部である。
【００３２】
本発明のミシン用潤滑剤組成物は、例えば上記のミシン用途に好適である他、ライナー、リニアガイドなどの各種摺動部やミシン内ギヤ駆動部にも使用できる。また、メッキやコーティングを施した全てのミシン摺動部にも適用可能である。
【発明の効果】
【００３３】
一般的に摺動特性を改善するためには、固体潤滑剤の併用、硬いグリース及び低粘度基油などの構成が容易に考えられる。しかし、一般的な固体潤滑剤は隙間への介入性が劣り、実際には役に立たない。また、単に硬いグリースでは塗布性が悪く、逆に塊状になり摺動部より脱落してしまう。使用する潤滑剤に関して詳細な規定を実施する必要がある。これらを解決する方法を見出した点において、本発明の意義は大きいといえる。そして、ミシン摺動部に本発明の潤滑剤組成物を用いることで、ミシン摺動部の耐久性を大幅に向上させることができる。
【実施例】
【００３４】
以下、実施例及び比較例を挙げて本発明を明確にする。
基油としてDOSを用いて、表１に示すミシン用潤滑剤組成物を得た。実施例１〜４のミシン用潤滑剤及び比較例１〜５の潤滑剤について図１と類似した機構を有するミシン耐久試験機（主軸回転数：４０００rpm、面圧：０．４N/mm2、試験時間：焼付き停止するまで）を用いて、耐久試験を実施した。潤滑剤の軸受部への注入量は約１ccとし、試験終了の規定は、主軸を回転させるモーターの電流値をモニタリングし、規定電流値以上の過電流が生じた場合は、モーターがｏｆｆとなるような回路を作成した。なお、潤滑剤の注入は初期のみとした。ミシン耐久試験の結果を、表２に示す。
【００３５】
なお、表１に示す実施例と比較例には、公知の酸化防止剤であるアルキルジフェニルアミンと金属不活性剤であるベンゾトリアゾール及び防錆剤であるコハク酸イミドを同一量添加している。また、表１において、配合量は重量％であり、残は潤滑剤組成物全体を１００重量％としたときの残余を示す。
なお、実施例１〜４と比較例１〜５では、潤滑油を供給する目的で軸受部両端にフェルト材でできた市販のワシャを取り付けた。
【００３６】
使用した基油及び添加剤の略号を次に示す。
ＤＯＳ：セバシン酸ジオクチル（ＨＡＴＣＯ社製：Hatcol3110）
ＭＭ：アクリル系高分子系分散剤（日本油脂製マリアリムAKM-0531）
α−Ａｌ：α−酸化アルミニウム（住友化学社製：スミコランダムAA-03；中心粒径０．３２μｍ、純度＞９９．９％、最大粒径１μｍ以下）
ＢＮ：窒化ホウ素（三井化学社製：MBN-250）
Li-S：リチウム石鹸
ADA：アルキルジフェニルアミン
BTA：ベンゾトリアゾール
SI：コハク酸イミド
Ｚｎ：ジアルキルジチオリン酸亜鉛
Ｍｏ：ジチオカルバミン酸モリブデン
BO：ホウ酸カリウム
Ｐ：トリオクチルフォスフェート（液体）
Ｓ：硫化オレフィン（液体）
【００３７】
【表１】
2005194303.tif 000004
【００３８】
【表２】
2005194303.tif 000005
【００３９】
表２のミシン耐久試験結果から判るように、酸化アルミニウムを添加することで、耐久性を大きく向上させることができる。更に、油溶性添加剤を併用することで更に寿命を延長することができる。また、耐摩耗剤として知られる窒化ホウ素よりも長寿命であることが確認された。研磨剤と知られる酸化アルミニウムが、耐摩耗剤として利用でき、かつ耐久性を向上させる効果を見出した本発明の意義は大きい。酸化アルミニウムを添加しないものは、基準耐久時間を超過することができなかった。
【図面の簡単な説明】
【００４０】
【図１】ミシンの針棒摺動部の部分断面図
【符号の説明】
【００４１】
１  主軸
２  クランク
３  クランク軸
４  クランクレバー
５  針棒連結部
６  針棒支持部材
７  針棒
８  軸受部
【図１】
2005194303.tif 000006